(57)【特許請求の範囲】
【請求項１】
先端部が扉に連結され基端部が枠体に回動可能に支持されて扉の開閉動作を案内するアームと、先端部がアームの中途部に連結され基端部が枠体に回動可能に支持されてアームの回動の速度を規制するダンパと、アームとダンパとの連結位置を調整可能にする開閉調整機構とを備えた扉開閉装置において、開閉調整機構は、アームに設けられたスライダ受と、ダンパに設けられてスライダ受をスライドするスライダと、スライダ受に回転可能に支持されスライダに螺合されて回転によってスライダをスライドさせる調整ネジと、スライダの移動量を目視可能にする目印とからなり、
開閉調整機構は調整ネジがナット形の頭部を有し調整ネジの頭部に嵌合されアームに係止して調整ネジの回転を阻止する回止板を備えていることを特徴とする扉開閉装置。
【請求項２】
請求項１の扉開閉装置において、アームは平板な板材で形成され、開閉調整機構のスライダ受はコ字形の板材で形成されコ字形の両端片が調整ネジが挿通される挿通用孔を穿孔されてアームに固定されコ字形の中央片がアームと平行に配設されてスライダのスライド用スペースを区画していることを特徴とする扉開閉装置。
【請求項３】
請求項２の扉開閉装置において、開閉調整機構のスライダはコ字形の板材で形成されコ字形の両端片に調整ネジが螺合されるネジ孔が穿孔されていることを特徴とする扉開閉装置。
【請求項４】
請求項３の扉開閉装置において、開閉調整機構の目印はアームまたはスライダ受の側面に一定間隔で複数本が厚さ方向に刻設された線状の目盛とスライダのコ字形の中央片の側面に少なくとも１本が厚さ方向に刻設された線状の基準線とからなることを特徴とする扉開閉装置。
【請求項５】
請求項１〜４のいずれかの扉開閉装置において、回止板は、調整ネジの回転を阻止するために着脱可能に備えられるものであり、調整ネジの頭部に嵌合可能な６角形の嵌合窓と、アームに設けられたてこ片に当接可能な係止端面とからなることを特徴とする扉開閉装置。
【発明の詳細な説明】
【技術分野】
【０００１】
本発明は、キャビネット等の枠体に対してアームにより扉を開閉動作させる扉開閉装置に係る技術分野に属する。
【背景技術】
【０００２】
アームを用いた扉開閉装置は、扉の開放時に扉を枠体の開放口から大きく退避させることができ、枠体への収納物の出し入れが容易になるという特徴があることから、各種分野におけるキャビネット等の枠体の扉の開閉手段として普及してきている。
【０００３】
このアームを用いた扉開閉装置では、開閉動作域が大きくなっている扉の開閉動作を的確に実施しないと、扉を枠体に衝突させたりアームを変形させたりすることが起こってしまうことになるため、扉の開閉動作の速度を抑制するダンパが備えられるようになってきている。
【０００４】
従来、ダンパを備えた扉開閉装置としては、例えば、特許文献１，２に記載のものが知られている。
【０００５】
特許文献１には、先端部が扉に連結され基端部が枠体に回動可能に支持されて扉の開閉動作を案内するアームと、先端部がアームの中途部に連結され基端部が枠体に回動可能に支持されてアームの回動の速度を規制するダンパと、アームとダンパとの連結位置を調整可能にする開閉調整機構とを備えた扉開閉装置が記載されている。ただし、開閉調整機構については、具体的な開示がなされていない。
【０００６】
特許文献２に係る扉開閉装置は、ダンパの連結位置を調整ネジの回転によるスライド構造で調整可能にする開閉調整機構を備えた扉開閉装置が記載されている。
【０００７】
特許文献１，２に係る扉開閉装置は、ダンパの連結位置を開閉調整機構で調整することで、扉の開閉動作を必要な速度に設定することができるものである。
【先行技術文献】
【特許文献】
【０００８】
【特許文献１】特開２００９−１１４７３４号公報
【特許文献２】特開２００４−１６９４５０号公報
【発明の概要】
【発明が解決しようとする課題】
【０００９】
特許文献１，２に係る扉開閉装置では、扉を安定的に支持するため扉の両側に両持ち式で取付けられるが、両側の開閉調整機構を一致した調整量で調整することが困難であるという問題点がある。
【００１０】
本発明は、このような問題点を考慮してなされたもので、扉の両側に両持ち式で取付けられる開閉調整機構を一致した調整量で簡単に調整することのできる扉開閉装置を提供することを課題とする。
【課題を解決するための手段】
【００１１】
前述の課題を解決するため、本発明では、先端部が扉に連結され基端部が枠体に回動可能に支持されて扉の開閉動作を案内するアームと、先端部がアームの中途部に連結され基端部が枠体に回動可能に支持されてアームの回動の速度を規制するダンパと、アームとダンパとの連結位置を調整可能にする開閉調整機構とを備えた扉開閉装置において、開閉調整機構は、アームに設けられたスライダ受と、ダンパに設けられてスライダ受をスライドするスライダと、スライダ受に回転可能に支持されスライダに螺合されて回転によってスライダをスライドさせる調整ネジと、スライダの移動量を目視可能にする目印とからなることを特徴とする手段を採用する。
【００１２】
この手段では、精密調整が可能なスライド構造からなる開閉調整機構にスライダの移動量を目視可能にする目印が設けられることで、開閉調整機構の調整量を目視で確実に把握することができる。
【００１３】
また、本発明では、アームは平板な板材で形成され、開閉調整機構のスライダ受はコ字形の板材で形成されコ字形の両端片が調整ネジが挿通される挿通用孔を穿孔されてアームに固定されコ字形の中央片がアームと平行に配設されてスライダのスライド用スペースを区画していることを特徴とする手段を採用する。
【００１４】
この手段では、開閉調整機構が平板な板材からなるアームにコ字形の板材からなるスライダ受が固定されることで、スライダ受が簡素な構造に構成される。
【００１５】
また、本発明では、開閉調整機構のスライダはコ字形の板材で形成されコ字形の両端片に調整ネジが螺合されるネジ孔が穿孔されていることを特徴とする手段を採用する。
【００１６】
この手段では、開閉調整機構のスライダがコ字形の板材で形成されコ字形の両端片に調整ネジが螺合されるネジ孔が穿孔されることで、スライダの精密な動作が確保される。
【００１７】
また、本発明では、開閉調整機構の目印はアームまたはスライダ受の側面に一定間隔で複数本が厚さ方向に刻設された線状の目盛とスライダのコ字形の中央片の側面に少なくとも１本が厚さ方向に刻設された線状の基準線とからなることを特徴とする手段を採用する。
【００１８】
この手段では、開閉調整機構の目印が板材からなるアーム，スライダ受，スライダの側面に目盛，基準線の組合わせで線状に設けられることで、目印の目視が容易になる。
【００１９】
また、本発明では、開閉調整機構は調整ネジがナット形の頭部を有し調整ネジの頭部に嵌合されアームに係止して調整ネジの回転を阻止する回止板を着脱可能に備えていることを特徴とする手段を採用する。
【００２０】
この手段では、開閉調整機構の調整ネジの回転を阻止する回止板が着脱可能に備えられることで、精密調整が可能なスライド構造からなる開閉調整機構の設定された調整量をロックすることができる。
【発明の効果】
【００２１】
本発明に係る扉開閉装置は、精密調整が可能なスライド構造からなる開閉調整機構にスライダの移動量を目視可能にする目印が設けられることで、開閉調整機構の調整量を目視で確実に把握することができるため、扉の両側に両持ち式で取付けられる開閉調整機構を一致した調整量で簡単に調整することができる効果がある。
【図面の簡単な説明】
【００２２】
【図１】本発明に係る扉開閉装置を実施するための形態の側面断面図（要部の一部切除された拡大図を含む）である。
【図２】図１の取付例の斜視図である。
【図３】図１の要部の分解斜視図である。
【図４】図３の組立図である。
【図５】図３，図４の操作，動作の側面図であり、（Ａ）〜（Ｃ）に操作，動作の順が示されている。
【図６】図５（Ｂ）の横断面図である。
【図７】図５（Ｃ）の側面図である。
【発明を実施するための形態】
【００２３】
以下、本発明に係る扉開閉装置を実施するための形態を図面に基づいて説明する。
【００２４】
この形態では、図１，図２に示すように、扉Ａが枠体Ｂの開口部に対して平行な姿勢を維持し上下方向に跳上げ式で開閉されるものを示してある。
【００２５】
この形態は、図１に示すように、ケーシング１と連結座２と２つのアーム（第１アーム３，第２アーム４）とダンパ５と開閉調整機構６とによって構成されている。そして、この形態は、図２に示すように、左右方向に両持ち式で扉Ａの両側に取付けられ、開閉調整機構６によって扉Ａの開放速度を調整できるようになっている。
【００２６】
ケーシング１は、枠体Ｂの相対する側面の上部にそれぞれ取付けられ、第１アーム３，第２アーム４，ダンパ５の枠体Ｂへの支持ベースとなるとともに、第１アーム３，第２アーム４の支持部分とダンパ５全体とを覆って汚損や収納物との衝突損傷を防止するものである。
【００２７】
連結座２は、扉Ａの下部の両端部寄りにそれぞれ取付けられ、第１アーム３，第２アーム４の扉Ａへの連結ベースとなるものである。
【００２８】
第１アーム３は、図１に示すように、変形のく字形の平板な板材で形成されて扉Ａの開閉動作を案内するもので、先端部３１が連結座２に回動可能に連結され、基端部３２がケーシング１に回動可能に支持されている。基端部３２寄りの中途部には、ほぼ直交する方向に短く突出されたてこ片３３が設けられている。てこ片３３には、開閉調整機構６を取付け固定するための２つの方形の取付用窓３４が長さ方向に間隔を介して開口されている。
【００２９】
第２アーム４は、図１に示すように、ほぼ直線上の平板な板材で形成されて扉Ａの開閉動作を案内するもので、先端部４１が連結座２に回動可能に連結され、基端部４２がケーシング１に回動可能に支持されている。先端部４１は、連結座２において第１アーム３の先端部３１よりも扉Ａ寄りの上方に位置している。基端部４２は、ケーシング１において第１アーム３の基端部３２よりも扉Ａ寄りの上方に位置している。従って、第２アーム４は、第１アーム３とともに平行リンクのような構造を構成している。
【００３０】
ダンパ５は、図１に示すように、ガス，コイルスプリングを内蔵したシリンダ５１からロッド５２を出没させて第１アーム３の回動の速度を規制するもので、先端部（ロッド５２の）が開閉調整機構６を介して第１アーム３のてこ片３３に連結され、基端部（シリンダ５１の）がケーシング１に回動可能に支持されている。
【００３１】
開閉調整機構６は、図３，図４に詳細に示されるように、第１アーム３とダンパ５との連結位置を調整可能にするもので、スライダ受６１，スライダ６２，調整ネジ６３，目印６４，回止板６５からなる。
【００３２】
開閉調整機構６のスライダ受６１は、コ字形の板材で形成され、コ字形の両端片６１ａに調整ネジ６３が挿通される挿通用孔６１ｂがそれぞれ穿孔されるとともに、コ字形の両端片６１ａの端面に第１アーム３のてこ片３３に設けられた取付用窓３４に係合される方形の係合突起６１ｃが設けられている。
【００３３】
開閉調整機構６のスライダ受６１は、第１アーム３の取付用窓３４に取付け固定されることによって、コ字形の中央片６１ｄが第１アーム３のてこ片３３と平行に配設されて、スライダ６２のスライド用スペースを区画する。
【００３４】
開閉調整機構６のスライダ６２は、コ字形の板材で形成された本体部分からダンパ５のロッド５２が回動可能に連結される基部６２ａが延び、本体部分のコ字形の両端片６２ｂに調整ネジ６３が螺合されるネジ孔６２ｃがそれぞれ穿孔されている。このスライダ６２は、スライダ受６１と互いのコ字形を逆にして組合され、コ字形の中央片６２ｄが第１アーム３のてこ片３３に規制され、コ字形の両端片６２ｂの端面がスライダ受６１に規制される。
【００３５】
開閉調整機構６の調整ネジ６３は、端面にドライバ等の工具が差込まれる差込溝６３ａが刻設された６角ナット形の頭部６３ｂからネジ軸６３ｃが延びたボルト形に形成され、ネジ軸６３ｃの先端部に抜止ピン６３ｄが挿通されるピン孔６３ｅが径方向に貫通形成されている。この調整ネジ６３は、ネジ軸６３ｃがスライダ受６１の一方の挿通用孔６１ｂに挿通されてからスライダ６２の両ネジ孔６２ｃに螺合されさらにスライダ受６１の他方の挿通用孔６１ｂに挿通され、スライダ受６１の他方の端片６１ａの外側でピン孔６３ｅに抜止ピン６３ｄが挿通されることで、スライダ受６１，スライダ６２を組付ける。従って、調整ネジ６３がスライダ受６１の両端片６１ａの間の固定位置で回転されることで、スライダ６２が調整ネジ６３の軸方向へスライドする。
【００３６】
開閉調整機構６の目印６４は、スライダ６２の移動量（スライド量）を目視可能にするもので、第１アーム３のてこ片３３の側面に一定間隔で５本が厚さ方向に刻設された線状の目盛６４ａと、スライダ６２の中央片６２ｄの側面に１本が厚さ方向に刻設された線状の基準線６４ｂとからなる。この目印６４が設けられた位置については、第１アーム３，スライダ６２の本体部分への切込み加工等で強度低下をもたらすことがなく他部材との連係に支障がなく簡単に加工できることを考慮して選択されたものである。
【００３７】
開閉調整機構６の回止板６５は、調整ネジ６３の回転を阻止するために着脱可能に備えられるもので、調整ネジ６３の頭部６３ｂに嵌合可能な６角形の嵌合窓６５ａと、第１アーム３のてこ片３３に当接可能な係止端面６５ｂとからなる。
【００３８】
この形態によると、開閉調整機構６がコ字形のスライダ受６１，スライダ６２を組合わせる等して構成され構造が簡素であるため、全体の製造コストが低減されるとともに、使用中の故障の発生を防止することができる。
【００３９】
この形態を使用するには、扉Ａまたは扉Ａに取付けられている取手（図示せず）を掴んで、扉Ａを枠体Ｂから離すように引上げて開放させ、扉Ａを枠体Ｂに近づけるように引下げて閉鎖することになる。
【００４０】
このとき、第１アーム３，第２アーム４が回動するが、第１アーム３がダンパ５によって回動の速度を規制される。即ち、このダンパ５が扉Ａの開放速度を規制するように第１アーム３の回動を機能する。
【００４１】
扉Ａの開閉操作（開放速度）に違和感がある場合等に、ダンパ５による第１アーム３の回動の速度の規制を調整するには、まず、図５（Ａ）に示すように、開閉調整機構６の調整ネジ６３の頭部６３ｂから回止板６５を引抜くようにして取外す。
【００４２】
この後、図５（Ｂ）に示すように、ドライバ等の工具Ｄを開閉調整機構６の調整ネジ６３の頭部６３ｂに設けられている差込溝６３ａに差込んで、調整ネジ６３を回転させる。
【００４３】
この結果、開閉調整機構６のスライダ６２がスライダ受６１に沿ってスライドし、第１アーム３とダンパ５との連結位置が第１アーム３の回動支点である基端部３２に接近，離間することになって、第１アーム３に対するダンパ５の規制力が増減される。従って、ダンパ５による第１アーム３の回動の速度の規制が調整されて、扉Ａの開放速度を自由に変更することができる。
【００４４】
開閉調整機構６の調整ネジ６３による調整では、回転による調整操作となるため、微調整が可能で精密性が確保される。また、開閉調整機構６のスライダ６２がスライド方向Ｘに対して直交する方向Ｙに２つの板片を有して変形等の生じ難いコ字形に形成され（図６参照）、しかもスライダ６２がスライドする際にコ字形の中央片６２ｄが第１アーム３のてこ片３３に規制されコ字形の両端片６２ｂの端面がスライダ受６１に規制されるため、スライダ６２のスライドに精密性が確保される。従って、開閉調整機構６に正確，確実な調整機能が得られる。
【００４５】
開閉調整機構６の調整量は、開閉調整機構６の目印６４の目盛６４ａ，基準線６４ｂの相対的移動量として目視して把握することができる。この結果、扉Ａの両側に両持ち式で取付けられる開閉調整機構６を一致した調整量で簡単に調整することができる。
【００４６】
開閉調整機構６の調整の後には、図５（Ｃ）に示すように、開閉調整機構６の調整ネジ６３の頭部６３ｂに回止板６５を嵌合させるようにして取付ける。取付けられた回止板６５は、図７に示すように、係止端面６５ｂが第１アーム３のてこ片３３に当接することで、調整ネジ６３の無用，不測の回転を阻止する。この結果、開閉調整機構６の調整がロックされる。
【００４７】
以上、図示した形態の外に、上下方向に両持ち式で扉Ａを左右方向に開放させたり、アーム（第１アーム３，第２アーム４）が単一のものについても適用することができる。
【００４８】
開閉調整機構６の目印６４を他の形状としたり他の位置に設けることも可能である。
【産業上の利用可能性】
【００４９】
本発明に係る扉開閉装置は、扉，枠体について軽量のものから重量のあるものまで取付けが可能であり、開閉調整機構を扉の閉鎖速度や扉の開閉速度の調整に供するもの等の広範な各種の分野での利用が可能である。
【符号の説明】
【００５０】
３            第１アーム（アーム）
３１          先端部
３２          基端部
３３          てこ片（中途部）
４            第２アーム（アーム）
４１          先端部
４２          基端部
５            ダンパ
６            開閉調整機構
６１          スライダ受
６２          スライダ
６３          調整ネジ
６４          目印
６５          回止板
Ａ            扉
Ｂ            枠体
【図１】
0005590551.tif 000002
【図２】
0005590551.tif 000003
【図３】
0005590551.tif 000004
【図４】
0005590551.tif 000005
【図５】
0005590551.tif 000006
【図６】
0005590551.tif 000007
【図７】
0005590551.tif 000008